(57)【特許請求の範囲】
【請求項１】
下部構造と上部構造との間に配置される構造物用支承装置であって、
前記下部構造に埋設されたアンカーボルトと、
前記下部構造に埋設され、前記アンカーボルトの上端が螺着される雌ねじ部を有する継手部材と、
前記下部構造上に設置され高さ調整ボルトが挿入する貫通孔を形成したベースプレートと、
前記継手部材に螺着する下部雄ねじ部と、前記下部雄ねじ部の上部に形成される係止部材係合用の切欠部と、上端に形成され下部部分より大径の回転工具係合部を有する前記高さ調整ボルトと、
前記切欠部に着脱自在に係合する２つ割にした係止部材と、
を備え、
前記高さ調整ボルトの一方の回転方向の回転により下部雄ねじ部を前記継手部材に螺着して前記ベースプレートを下部構造に締め付け固定し、前記高さ調整ボルトの他方の回転方向の回転により前記係止部材が前記ベースプレートを上昇させ、高さ調整可能とすることを特徴とする構造物用高さ調整対応支承装置。
【請求項２】
前記係止部材が前記ベースプレートの下面に当接した状態で前記回転工具係合部の下面と前記ベースプレート上面との間に一定の隙間が形成されるようにし、前記隙間に２つ割にしたワッシャ兼スペーサ部材を着脱自在に取り付けることを特徴とする請求項１に記載の構造物用高さ調整対応支承装置。
【請求項３】
下部構造と上部構造との間に配置される構造物用支承装置であって、
前記下部構造に埋設されたアンカーボルトと、
前記下部構造に埋設され、前記アンカーボルトの上端が螺着される雌ねじ部を有する継手部材と、
前記下部構造上に設置され高さ調整ボルトが挿入する貫通孔を形成したベースプレートと、
前記継手部材に螺着する下部雄ねじ部と、前記下部雄ねじ部の上部に形成される係止部材係合用の切欠部と、前記係止部材の上部に形成されるナットを螺着する上部雄ねじ部と、前記上部雄ねじ部の上端に形成され前記上下雄ねじ部より小径の回転工具係合部を有する前記高さ調整ボルトと、
前記切欠部に着脱自在に係合する２つ割にした係止部材と、
を備え、
前記高さ調整ボルトの一方の回転方向の回転により前記下部雄ねじ部を前記継手部材に螺着しナットで締め付けることで前記ベースプレートを前記下部構造に締め付け固定し、前記高さ調整ボルトの他方の回転方向の回転により前記係止部材が前記ベースプレートを上昇させ、高さ調整可能とすることを特徴とする構造物用高さ調整対応支承装置。
【請求項４】
前記継手部材の上部外周に前記継手部材の外径より大きな外径を有する荷重支持部を配置し、前記荷重支持部上に前記高さ調整ボルトが挿通する孔と外周に嵩上げソケットを螺着する雄ねじ部を形成した嵩上げソケット連結部材を固定することを特徴とする請求項１ないし３のいずれか１項に記載の構造物用高さ調整対応支承装置。
【請求項５】
前記嵩上げソケットの内部に前記嵩上げソケット連結部材外周の雄ねじ部に螺着する下部雌ねじ部と前記高さ調整ボルトの下部雄ねじ部と螺着する上部雌ねじ部を連通して形成し、上部外周に積層される別の嵩上げソケットの下部雌ねじ部と螺着する積層用雄ねじ部を形成することを特徴とする請求項４に記載の構造物用高さ調整対応支承装置。
【請求項６】
前記嵩上げソケットの下面に前記高さ調整ボルトとの噛み合わせを調整する弾性パッキンを配置することを特徴とする請求項４又は５に記載の構造物用高さ調整対応支承装置。
【請求項７】
前記ベースプレートの下面に前記係止部材を収容する係止部材収容凹部を形成することを特徴とする請求項１ないし６のいずれか1項に記載の構造物用高さ調整対応支承装置。
【請求項８】
前記高さ調整ボルトの下端に継ぎ足しボルト螺着用の雌ねじ部を形成することを特徴とする請求項１ないし７のいずれか１項に記載の構造物用高さ調整対応支承装置。
【発明の詳細な説明】
【技術分野】
【０００１】
本発明は、建築構造物や土木構造物の構造部間の高さ調整が可能な構造物用高さ調整対応支承装置に関する。
【背景技術】
【０００２】
従来、土木構造物や建築構造物は、基礎地盤に構築された橋脚や基礎等のコンクリート製の下部構造上に上部構造支持部材であるベースプレートや根太を介して橋桁や柱等の上部構造が支持される。このような土木構造物や建築構造物において、地盤の不等沈下等の発生により、上部構造と下部構造の間で高を調整する必要がある。
【０００３】
特開平８−２３９８６２号公報には、高さ調整可能な支承装置が開示されている。従来の高さ調整対応支承装置は、コンクリート基礎中にアンカーボルトが埋設され、アンカーボルトの上端は基礎コンクリート中に埋設された雌ねじ穴を有する継手部材の下部側に螺着される。コンクリート基礎上に上部構造支持部材である根太が配置される。根太には貫通孔が形成される。根太の貫通孔から雄ねじ部を有する定着長ボルトが挿入され、定着長ボルトの下部が継手部材の上部に螺着される。根太の貫通孔から突き出した定着長ボルトにワッシャを介してナットを螺着し、根太をコンクリート基礎３０に締め付け固定する。
【０００４】
高さ調整が必要になった場合、ナットを回転させ、ナットの位置を定着長ボルトの上部に移動させ、根太をコンクリート基礎からジャッキ等の持ち上げ工具を用いて持ち上げ、コンクリート基礎と根太との間に高さ調整に必要な高さの嵩上げ部材を配置して、再びナットを下降させ根太をコンクリート基礎に締め付け固定する。
【先行技術文献】
【特許文献】
【０００５】
【特許文献１】特開平８−２３９８６２号公報
【発明の概要】
【発明が解決しようとする課題】
【０００６】
しかしながら、従来の高さ調整対応支承装置は、高さ調整が必要になった場合、ナットを緩めた後、上部構造支持部材である根太とコンクリート基礎との間にジャッキ等の持ち上げ工具を配置して根太を持ち上げて嵩上げ部材を配置する必要があり、狭い空間内での持ち上げ工具の出し入れ及びジャッキアップ作業が必要であり、作業が困難であると共に、作業時間が長くなるという問題を有する。
【０００７】
本発明は、従来の技術が持つ課題を解決する、構造が簡単であって安価に製造することができ、ジャッキ等の持ち上げ工具を用いることなく高さ調整に対応する嵩上げ部材の設置作業が容易に実施することが可能な建築物または土木構造物の高さ調整対応支承装置を提供することを目的とする。
【課題を解決するための手段】
【０００８】
本発明の構造物用高さ調整対応支承装置は、前記課題を解決するために、下部構造と上部構造との間に配置される構造物用支承装置であって、前記下部構造に埋設されたアンカーボルトと、前記下部構造に埋設され、前記アンカーボルトの上端が螺着される雌ねじ部を有する継手部材と、前記下部構造上に設置され高さ調整ボルトが挿入する貫通孔を形成したベースプレートと、前記継手部材に螺着する下部雄ねじ部と、前記下部雄ねじ部の上部に形成される係止部材係合用の切欠部と、上端に形成され下部部分より大径の回転工具係合部を有する前記高さ調整ボルトと、前記切欠部に着脱自在に係合する２つ割にした係止部材と、を備え、前記高さ調整ボルトの一方の回転方向の回転により下部雄ねじ部を前記継手部材に螺着して前記ベースプレートを下部構造に締め付け固定し、前記高さ調整ボルトの他方の回転方向の回転により前記係止部材が前記ベースプレートを上昇させ、高さ調整可能とすることを特徴とする。
【０００９】
また、本発明の構造物用高さ調整対応支承装置は、前記係止部材が前記ベースプレートの下面に当接した状態で前記回転工具係合部の下面と前記ベースプレート上面との間に一定の隙間が形成されるようにし、前記隙間に２つ割にしたワッシャ兼スペーサ部材を着脱自在に取り付けることを特徴とする。
【００１０】
また、本発明の構造物用高さ調整対応支承装置は、下部構造と上部構造との間に配置される構造物用支承装置であって、前記下部構造に埋設されたアンカーボルトと、前記下部構造に埋設され、前記アンカーボルトの上端が螺着される雌ねじ部を有する継手部材と、前記下部構造上に設置され高さ調整ボルトが挿入する貫通孔を形成したベースプレートと、前記継手部材に螺着する下部雄ねじ部と、前記下部雄ねじ部の上部に形成される係止部材係合用の切欠部と、前記係止部材の上部に形成されるナットを螺着する上部雄ねじ部と、前記上部雄ねじ部の上端に形成され前記上下雄ねじ部より小径の回転工具係合部を有する前記高さ調整ボルトと、前記切欠部に着脱自在に係合する２つ割にした係止部材と、を備え、前記高さ調整ボルトの一方の回転方向の回転により前記下部雄ねじ部を前記継手部材に螺着しナットで締め付けることで前記ベースプレートを前記下部構造に締め付け固定し、前記高さ調整ボルトの他方の回転方向の回転により前記係止部材が前記ベースプレートを上昇させ、高さ調整可能とすることを特徴とする。
【００１１】
また、本発明の構造物用高さ調整対応支承装置は、前記継手部材の上部外周に前記継手部材の外径より大きな外径を有する荷重支持部を配置し、前記荷重支持部上に前記高さ調整ボルトが挿通する孔と外周に嵩上げソケットを螺着する雄ねじ部を形成した嵩上げソケット連結部材を固定することを特徴とする。
【００１２】
また、本発明の構造物用高さ調整対応支承装置は、前記嵩上げソケットの内部に前記嵩上げソケット連結部材外周の雄ねじ部に螺着する下部雌ねじ部と前記高さ調整ボルトの下部雄ねじ部と螺着する上部雌ねじ部を連通して形成し、上部外周に積層される別の嵩上げソケットの下部雌ねじ部と螺着する積層用雄ねじ部を形成することを特徴とする。
【００１３】
また、本発明の構造物用高さ調整対応支承装置は、前記嵩上げソケットの下面に前記高さ調整ボルトとの噛み合わせを調整する弾性パッキンを配置することを特徴とする。
【００１４】
また、本発明の構造物用高さ調整対応支承装置は、前記ベースプレートの下面に前記係止部材を収容する係止部材収容凹部を形成することを特徴とする。
【００１５】
また、本発明の構造物用高さ調整対応支承装置は、前記高さ調整ボルトの下端に継ぎ足しボルト螺着用の雌ねじ部を形成することを特徴とする。
【発明の効果】
【００１６】
下部構造と上部構造との間に配置される構造物用支承装置であって、前記下部構造に埋設されたアンカーボルトと、前記下部構造に埋設され、前記アンカーボルトの上端が螺着される雌ねじ部を有する継手部材と、前記下部構造上に設置され高さ調整ボルトが挿入する貫通孔を形成したベースプレートと、前記継手部材に螺着する下部雄ねじ部と、前記下部雄ねじ部の上部に形成される係止部材係合用の切欠部と、前記係止部材の上部に形成されるナットを螺着する上部雄ねじ部と、前記上部雄ねじ部の上端に形成され前記上下雄ねじ部より小径の回転工具係合部を有する前記高さ調整ボルトと、前記切欠部に着脱自在に係合する２つ割にした係止部材と、を備え、前記高さ調整ボルトの一方の回転方向の回転により前記下部雄ねじ部を前記継手部材に螺着しナットで締め付けることで前記ベースプレートを前記下部構造に締め付け固定し、前記高さ調整ボルトの他方の回転方向の回転により前記係止部材が前記ベースプレートを上昇させ、高さ調整可能とする構成により、高さ調整が必要になった場合、嵩上げ作業でジャッキ等の持ち上げ工具を用いることなく容易に嵩上げ作業を実施することが可能になる。
係止部材がベースプレートの下面に当接した状態で回転工具係合部の下面と前記ベースプレート上面との間に一定の隙間が形成されるようにし、前記隙間に２つ割にしたワッシャ兼スペーサ部材を着脱自在に取り付ける構成により、係止部材の切欠部への着脱のためのスペースを確保することが可能となる。
下部構造と上部構造との間に配置される構造物用支承装置であって、前記下部構造に埋設されたアンカーボルトと、前記下部構造に埋設され、前記アンカーボルトの上端が螺着される雌ねじ部を有する継手部材と、前記下部構造上に設置され高さ調整ボルトが挿入する貫通孔を形成したベースプレートと、前記継手部材に螺着する下部雄ねじ部と、前記下部雄ねじ部の上部に形成される係止部材係合用の切欠部と、前記係止部材の上部に形成されるナットを螺着する上部雄ねじ部と、前記上部雄ねじ部の上端に形成され前記上下雄ねじ部より小径の回転工具係合部を有する前記高さ調整ボルトと、前記切欠部に着脱自在に係合する２つ割にした係止部材と、を備え、前記高さ調整ボルトの一方の回転方向の回転により前記下部雄ねじ部を前記継手部材に螺着しナットで締め付けることで前記ベースプレートを前記下部構造に締め付け固定し、前記高さ調整ボルトの他方の回転方向の回転により前記係止部材が前記ベースプレートを上昇させ、高さ調整可能とする構成により、高さ調整ボルトのベースプレートの上下から取付を可能とし、高さ調整が必要になった場合、嵩上げ作業でジャッキ等の持ち上げ工具を用いることなく容易に嵩上げ作業を実施することが可能になる。
継手部材の上部外周に前記継手部材の外径より大きな外径を有する荷重支持部を配置し、前記荷重支持部上に前記高さ調整ボルトが挿通する孔と外周に嵩上げソケットを螺着する雄ねじ部を形成した嵩上げソケット連結部材を固定する構成により、ベースプレートの下部構造への設置の工程で締め付け荷重を荷重支持部で分散し、締め付け荷重による下部構造のコンクリートの亀裂の発生を防止することが可能となり、高さ調整の際の嵩上げソケットの設置を容易に実施することが可能となる。
嵩上げソケットの内部に前記嵩上げソケット連結部材外周の雄ねじ部に螺着する下部雌ねじ部と前記高さ調整ボルトの下部雄ねじ部と螺着する上部雌ねじ部を連通して形成し、上部外周に積層される別の嵩上げソケットの下部雌ねじ部と螺着する積層用雄ねじ部を形成する構成により、高さ調整の量に応じて複数の嵩上げソケットを容易に積層することが可能となる。
嵩上げソケットの下面に前記高さ調整ボルトとの噛み合わせを調整する弾性パッキンを配置する構成により、間隔を置いて配置される継手部材の雌ねじ部と嵩上げソケットの雌ねじ部と高さ調整ボルトの下部雄ねじ部の噛み合わせを容易に調整することが可能となる。
ベースプレートの下面に前記係止部材を収容する係止部材収容凹部を形成する構成により、下部構造表面とベースプレート下面と間を平滑に維持することが可能となる。
高さ調整ボルトの下端に継ぎ足しボルト螺着用の雌ねじ部を形成する構成により、高さ調整ボルトの継手部材への定着力を確保することが可能となる。
【図面の簡単な説明】
【００１７】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【図１０】本発明の実施形態を示す図である。
【図１１】本発明の実施形態を示す図である。
【図１２】本発明の実施形態を示す図である。
【図１３】本発明の実施形態を示す図である。
【図１４】本発明の実施形態を示す図である。
【図１５】本発明の実施形態を示す図である。
【発明を実施するための形態】
【００１８】
図１は、本発明の構造物用高さ調整対応支承装置を橋梁に使用した実施形態を示す図である。
【００１９】
高さ調整対応支承装置１は、橋脚や橋台等のコンクリート製の下部構造２と橋桁等の上部構造３との間に配置される。コンクリート製の下部構造２上には、ベースプレート４が配置される。下部構造２に埋設された雌ねじ穴を有する継手部材５にアンカーボルト６の上部が螺着される。
【００２０】
ベースプレート４と上部構造３との間に設置される支承装置はどのような形式の支承装置でも良いが、この実施形態の支承装置は、ベースプレート４上に積層ゴム支承８が配置される。上部構造３に固定されたソールプレート９と上沓１０がセットボルト１１で固定される。ベースプレート４に一端を固定したせん断キー１２が積層ゴム支承８と上沓１０を貫通して、その上端部を上沓１０に形成した段部を有する空所に位置させ、せん断キー１２の上端に上楊力止め１３を配置する。
【００２１】
図２〜図４は、第１実施形態の高さ調整ボルト１７を示す図である。
【００２２】
下部構造２に埋設されたアンカーボルト６の上部雄ねじ部が、雌ねじ穴を有する継手部材５の下部に螺着される。継手部材５の上部外周には、継手部材５の外径より大きな外径を有する荷重支持部１４を溶接等の手段により設置する。継手部材５は、その上端面が下部構造２の表面と一致するように埋設設置される。下部構造２の表面に均しモルタル層を形成する場合、継手部材５の上端面の位置は、均しモルタル層の表面と一致するように埋設設置する。荷重支持部１４の表面位置を下部構造２の表面位置と一致させる。荷重支持部１４には補強リブ１５を設置しても良い。荷重支持部１４上に、後述する嵩上げソケット２２を螺着するための嵩上げソケット連結部材１６が溶接等の手段により固定される。嵩上げソケット連結部材１６は、高さ調整ボルト１７を挿通する貫通孔１６ａと外周に嵩上げソケット２２を螺着するための嵩上げソケット用雄ねじ部１６ｂが形成される。
【００２３】
ベースプレート４の貫通孔４ａに挿入される高さ調整ボルト１７は、上端に回転工具が係合する下部部材より径の大きい多角形の回転工具係合部１７ｅが一体に形成される。高さ調整ボルト１７の下部には、継手部材５の上部に螺着される下部雄ねじ部１７ａが形成される。高さ調整ボルトの上部棒状部１７ｂと下部雄ねじ部１７ａとの間に、外径が上部棒状部１７ｂ及び下部雄ねじ部１７ａより径の小さい切欠部１７ｃが形成される。また、高さ調整ボルト１７の下端部には、嵩上げ高さが大きくなった場合、下部雄ねじ部１７ａと継手部材５との螺着長さを確保するための継ぎ足し雄ねじ部材（図示せず）を螺着するための継ぎ足し用雌ねじ部１７ｄを形成する。
【００２４】
高さ調整ボルト１７の切欠部１７ｃには、２つ割にした係止部材２０が着脱自在に係合する。２つ割にした係止部材２０は、切欠部１７ｃに係合した状態の外径が上部棒状部１７ｂ、下部雄ねじ部１７ａの外径より大きく、ベースプレート４の貫通孔４ａの内径より大きい。切欠部１７ｃの形成位置は、切欠部１７ｃに係止部材２０を取付け、係止部材２０がベースプレート４の下面に当接した状態で、回転工具係合部１７ｅの下面とベースプレート４の上面との間に一定の隙間が形成される位置とする。この一定の隙間が係止部材２０の切欠部１７ｃへの着脱のためのスペースを確保する。締め付け固定時、隙間には、２つ割にしたワッシャ兼スペーサ部材１８を着脱自在に取り付ける。
【００２５】
ベースプレート４には、高さ調整ボルト１７が挿通する貫通孔４ａと、係止部材２０を収容する係止部材収容凹部４ｂと、嵩上げ用ソケット連結部材１６を収容する嵩上げソケット連結部材収容凹部４ｃが互いに連通するように形成される。
【００２６】
図２は、第１実施形態の高さ調整ボルト１７により下部構造２にベースプレート４が固定された状態を示す図である。高さ調整ボルト１７の切欠部１７ｃに係止部材２０が係合され、下部雄ねじ部１７ａが所定長さ継手部材５の雌ねじに螺着される。ベースプレート４の嵩上げソケット連結部材収容凹部４ｃに嵩上げソケット連結部材１６が収容され、係止部材収容凹部４ｂに係止部材２０が収容され、ベースプレート４の下面と下部構造２の表面は平滑に接する状態にされる。この状態で高さ調整ボルト１７の大径である回転工具係合部１７ｅの下面とベースプレート４の上面との間の隙間に２つ割にしたワッシャ兼スペーサ部材１８を係合させ、回転工具係合部１７ｅに回転工具（図示せず）を係合させ回転し、ベースプレート４を下部構造２に締め付け固定する。継手部材５の上部外周に継手部材５の外径より大きな外径を有する荷重支持部１４が配置されているため、締め付け荷重による下部構造のコンクリートの亀裂の発生を防止することが可能となる。
【００２７】
図５、図６は、第２実施形態の高さ調整ボルト１７を示す図である。
【００２８】
ベースプレート４の貫通孔４ａに挿入される高さ調整ボルト１７は、上端に回転工具が係合する下部部材より径の小さい多角形の回転工具係合部１７ｅが一体に形成される。高さ調整ボルト１７の下部には、継手部材５の上部に螺着される下部雄ねじ部１７ａが形成される。下部雄ねじ部１７ａの上に切欠部１７ｃが形成され、その上部に上部雄ねじ部１７ｆが形成される。高さ調整ボルトの上部雄ねじ部１７ｆと下部雄ねじ部１７ａとの間に、外径が上部棒状部１７ｂ及び下部雄ねじ部１７ａより小径の切欠部１７ｃが形成される。また、高さ調整ボルト１７の下端部には、嵩上げ高さが大きくなった場合、下部雄ねじ部１７ａと継手部材５との螺着長さを確保するための継ぎ足し雄ねじ部材（図示せず）を螺着するための継ぎ足し用雌ねじ部１７ｄを形成する。
【００２９】
高さ調整ボルト１７の切欠部１７ｃに、２つ割にした係止部材２０が着脱自在に係合する。２つ割にした係止部材２０は、切欠部１７ｃに係合した状態の外径が上部棒状部１７ｂ、下部雄ねじ部１７ａの外径より大きく、ベースプレート４の貫通孔４ａの内径より大きい。この実施形態の高さ調整ボルト１７は、回転工具係合部１７ｅが下部部分より小径であるためベースプレート４の上下いずれからも取付が可能である。
【００３０】
図５は、第２実施形態の高さ調整ボルト１７により下部構造２にベースプレート４が固定された状態を示す図である。高さ調整ボルト１７の切欠部１７ｃに２つ割にした係止部材２０が係合され、下部雄ねじ部１７ａが所定長さ継手部材５の雌ねじに螺着される。ベースプレート４の嵩上げソケット連結部材収容凹部４ｃに嵩上げソケット連結部材１６が収容され、係止部材収容凹部４ｂに係止部材２０が収容され、ベースプレート４の下面と下部構造２の表面は平滑に接する状態にされる。この状態で高さ調整ボルト１７の上部雄ねじ部１７ｆの上部からワッシャ１９とナット２４を配置し、ナット２４を螺着することでベースプレート４を下部構造２に締め付け固定する。継手部材５の上部外周に継手部材５の外径より大きな外径を有する荷重支持部１４が配置されているため、締め付け荷重による下部構造のコンクリートの亀裂の発生を防止することが可能となる。
【００３１】
図７〜図１４により第１実施形態の高さ調整ボルト１７を用いた高さ調整対応支承装置１の高さ調整の工程を説明する。
【００３２】
図７に示される工程では、回転工具係合部１７ｅに回転工具を係合して高さ調整ボルト１７の下部雄ねじ部１７ａを継手部材５の雌ねじから上昇する方向回転する。高さ調整ボルト１７の上昇力は、係止部材２０とベースプレート４の係止部材収容部４ｃの上面との係合によりベースプレート４に伝達され、ベースプレート４が高さ調整ボルト１７と一緒に上昇する。回転工具係合部１７ｅの下部に係合していた２つ割にしたワッシャ兼スペーサ部材１８を取り外す。
【００３３】
図８に示される工程では、高さ調整ボルト１７の上昇によりベースプレート４が下部構造２から所定高さの位置に達する。係止部材２０とベースプレート４の下面との係合状態を維持し、ベースプレート４と下部構造２との間に複数のライナープレートを積層した仮
支持部材２１を設置し、上部の荷重を仮支持部材２１で支持する。仮支持部材２１で上部の荷重が支持された状態で、取り外されたワッシャ兼スペーサ部材１８の高さ分だけ高さ調整ボルト１７を下降する方向に回転させ、高さ調整ボルト１７の切欠部１７ｃに係合していた２つ割にした係止部材２０を取り外す。係止部材２０を切欠部１７ｃから取り外し、下部雄ねじ部１７ａと継手部材の雌ねじ部との螺着を解放し、高さ調整ボルト１７をベースプレート４の貫通孔４ａから離脱可能な状態にする。
【００３４】
図９に示される工程では、高さ調整ボルト１７をベースプレート４から取り外す。
【００３５】
図１０に示される工程では、高さ調整ボルト１７をベースプレート４から取り外した状態で、嵩上げソケット連結部材１６の外周に形成した嵩上げソケット用雄ねじ部１６ｂに、嵩上げソケット２２の下部雌ねじ部２２ａを螺着して嵩上げソケット２２を固定する。
【００３６】
嵩上げソケット２２の詳細を図１５により説明する。嵩上げソケット２２は、内部に嵩上げソケット用雄ねじ部１６ｂと、高さ調整ボルト１７の下部雄ねじ部１７ａが螺着される上部雌ねじ部２２ｂが互いに連通するように形成される。嵩上げソケット２２の上部外周には、別の嵩上げソケット２２を積層して設置するための積層用雄ねじ部２２ｃが形成される。積層用雄ねじ部２２ｃには、積層される嵩上げソケット２２の下部雌ねじ部２２ａが螺着される。嵩上げソケット２２の底面には、弾性パッキン２２ｄが設置される。弾性パッキン２２ｄは、高さ調整ボルト１７の下部雄ねじ部１７ａが、間隔の開いた嵩上げソケット２２の上部雌ねじ部２２ｂと継手部材５の雌ねじ部とが螺着する際の噛み合わせを調整する機能を有する。
【００３７】
図１１に示される工程では、仮支持部材２１で上部の荷重を支持した状態で、高さ調整ボルト１７を切欠部１７ｃに係止部材２０を取付ない状態でベースプレート４の貫通孔４ａから挿入し、下部雄ねじ部１７ａを、切欠部１７ｃに２つ割にした係止部材２０が取付け可能な位置まで継手部材５の雌ねじに螺着する。次いで、高さ調整ボルト１７の切欠部２１ｃに２つ割にした係止部材２０を係合する。
【００３８】
図１２に示される工程では、高さ調整ボルト１７を上昇する方向に回転し、係止部材２０とベースプレート４の係止部材収容凹部４ｂの下面とを当接させ、上部荷重を係止部材２０と係止部材収容凹部４ｂの下面との係合により支持する状態にし、複数のライナープレートを積層した仮支持部材２１を順次取り外す。
【００３９】
図１３に示される工程では、上部荷重を係止部材２０と係止部材収容凹部４ｂの下面との係合により支持した状態で、仮支持部材２１を完全に撤去する。
【００４０】
図１４に示される工程では、高さ調整ボルト１７を下降する方向に回転し、嵩上げソケット２２の上部外周の積層用雄ねじ部２２ｃが嵩上げソケット連結部材収容凹部４ｃに位置し、係止部材２０が嵩上げソケット２２の上面に当接し、ベースプレート４の係止部材収容凹部４ｂに位置するようにする。この状態で、高さ調整ボルト１７の回転工具係合部１７ｅの下面とベースプレート４の上面との間の隙間に２つ割にしたワッシャ兼スペーサ部材１８を係合する。回転工具係合部１７ｅを回転工具で回転し、ベースプレート４を下部構造２に締め付け固定する。嵩上げソケット２２により嵩上げされた下部構造２とベースプレート４の下面との間の隙間に充填モルタル２３を充填し固化させることにより、構造物用支承装置の高さが調整される。
【００４１】
第２実施形態の高さ調整ボルト１７による高さ調整の工程は、回転工具係合部１７ｅが、下の部分より小径であるため、ベースプレート４の上下いずれからも取付が可能である点と、ベースプレート４の下部構造２への締め付け固定が、上部雄ねじ部１７ｆへのナット２４の螺着により実施する点を除き、ほぼ同様であるので説明を省略する。
【００４２】
以上のように、本発明の構造物用高さ調整対応支承装置によれば、高さ調整が必要になった場合、嵩上げ作業でジャッキ等の持ち上げ工具を用いることなく容易に嵩上げ作業を実施することが可能になる。また、高さ調整の量に応じて複数の嵩上げソケットを容易に積層することが可能となる。
【符号の説明】
【００４３】
１：高さ調整対応支承装置、２：下部構造、３：上部構造、４：ベースプレート、４ａ：貫通孔、４ｂ：係止部材収容凹部、４ｃ：嵩上げソケット連結部材収容凹部、５：継手部材、６：アンカーボルト、８：積層ゴム支承、９：ソールプレート、１０：上沓、１１：セットボルト、１２：せん断キー、１３：上楊力止め、１４：荷重支持部、１５：補強リブ、１６：嵩上げソケット連結部材、１６ａ：貫通孔、１６ｂ：嵩上げソケット用雄ねじ部、１７：高さ調整ボルト、１７ａ：下部雄ねじ部、１７ｂ：上部棒状部、１７ｃ：切欠部、１７ｄ：継ぎ足しボルト用雌ねじ部、１７ｅ：回転工具係合部、１７ｆ：上部雄ねじ部、１８：２つ割ワッシャ兼スペーサ部材、１９：ワッシャ、２０：２つ割係止部材、２１：仮支持部材、２２：嵩上げソケット、２２ａ：下部雌ねじ部、２２ｂ：上部雌ねじ部、２２ｃ：積層用雄ねじ部、２２ｄ：弾性パッキン、２３：充填モルタル、２４：ナット
【要約】      （修正有）【課題】構造が簡単であって、ジャッキを用いることなく不等沈下に対応する嵩上げ作業が容易に実施することが可能な建築物又は土木構造物の高さ調整対応支承装置を提供する。【解決手段】構造物用高さ調整対応支承装置において、下部構造２に埋設されたアンカーボルト６と、前記下部構造に埋設され、アンカーボルト６の上端が螺着される雌ねじ部を有する継手部材５と、前記下部構造上に設置され高さ調整ボルト１７が挿入する貫通孔を形成したベースプレート４と、前記継手部材に螺着する下部雄ねじ部１７ａと、前記下部雄ねじ部の上部に形成される係止部材係合用の切欠部と、上端に形成され下部部分より大径の回転工具係合部を有する高さ調整ボルト１７と、前記切欠部に着脱自在に係合する２つ割にした係止部材２０と、を備え、高さ調整ボルト１７の回転により係止部材２０がベースプレート４を上昇させ、高さ調整を可能とする。【選択図】図２【図１】
0004726093.tif 000002
【図２】
0004726093.tif 000003
【図３】
0004726093.tif 000004
【図４】
0004726093.tif 000005
【図５】
0004726093.tif 000006
【図６】
0004726093.tif 000007
【図７】
0004726093.tif 000008
【図８】
0004726093.tif 000009
【図９】
0004726093.tif 000010
【図１０】
0004726093.tif 000011
【図１１】
0004726093.tif 000012
【図１２】
0004726093.tif 000013
【図１３】
0004726093.tif 000014
【図１４】
0004726093.tif 000015
【図１５】
0004726093.tif 000016